(57)【特許請求の範囲】
【請求項１】
中央に円筒状の凹部を形成し更に前記凹部の中心に注入部を起立させて設け内部がドーム状に空洞で外周下面に嵌着部を形成した略ドーナツ型のカバーと、外周面に外第１突条及び外第２突条を設けて外溝を形成し内周面に内第１突条及び内第２突条を設けた内溝を形成し、中央に中央孔と前記中央孔の両脇に孔を穿設し前記カバーの下面に取り付けられる下面蓋と、外周面に外突条を形成し中央に内突条を形成し前記外溝に外突条を嵌入して下面蓋上に取付けられる弾性シートと、内部が中空部となり前記弾性シート上に固定されスプリング内に挿通され外周面に目盛りを備えた円柱状のゲージとからなることを特徴とする補修剤注入装置。
【請求項２】
外周面に外突条を形成し中央に内突条を形成し、上面右部に外周面に目盛りを設けたゲージ部を起立させて設けた前記外溝に外突条を嵌入して下面蓋上に取付けられる弾性シートとからなることを特徴とする請求項１に記載の補修剤注入装置。
【請求項３】
上部中央に上部孔を穿設し下部に径の大きい嵌着部を形成し嵌着部の一部に内部が中空である円筒状の注入部を起立して設けた略ドーム型のカバーと、中央に円と縦方向の楕円を組み合わせた形状の中央孔を穿設し前記中央孔の左部に横方向に楕円形状をした注入道を穿設し前記カバーの下部に嵌着される外周の一部が外方に向かって張り出した略円形の下面蓋と、外周面に目盛りを設けたゲージ部を中央に起立して設け外周に突条を形成し前記下面蓋上に取付けられる弾性シートと、中央正面に凸部を形成した拡張部を上部に備え外周にスプリングを巻き付け前記注入部内に取り付けられる逆流防止部材と、前記下面蓋の注入道に嵌着される略長方形状の注入道保護部材とからなることを特徴とする補修剤注入装置。
【発明の詳細な説明】
【技術分野】
【０００１】
本発明は、コンクリート構造物等に生じた亀裂を補修する際に使用する補修剤をコンクリートの亀裂に注入するための補修剤注入装置に関する発明である。
【背景技術】
【０００２】
従来、コンクリート構造物の亀裂を修復するための補修剤は弾性シートの復元力を利用して亀裂内に補修剤を注入する方法がとられていた。
【０００３】
しかしながら、従来の補修剤注入器具では、補修剤の導入量を簡単に計測することができず、また、補修剤の注入の進行具合、補修剤の注入が完了したか否か、補修剤の注入残量などを簡単に確認することができなかった。
【０００４】
更に、補修注入器具の外形高さが高いために接着中の引っ掛けなどの施工上の不具合が生じることがあった。
【特許文献１】特開平９−３２３０８号公報
【発明の開示】
【発明が解決しようとする課題】
【０００５】
そこで、本発明は、補修剤の導入量を簡単に計測することができ、また、補修剤の注入の進行具合、補修剤の注入が完了したか否か、補修剤の注入残量などを簡単に確認することができ、施工上の不具合のない補修剤注入装置を提供することを目的とするものである。
【課題を解決するための手段】
【０００６】
本発明は、上記の課題を解決するために、中央に円筒状の凹部２ｅを形成し前記凹部２ｅの中心に注入部２ｄを起立させて設け内部がドーム状に空洞２ｉとなり外周下面に嵌着部２ａを形成した略ドーナツ型のカバー２と、外周面に外第１突条３ｂ及び外第２突条３ｃを設けて外溝３ｄを形成し内周面に内第１突条３ｅ及び内第２突条３ｆを設けた内溝３ｇを形成し中央に中央孔３ｉと前記中央孔３ｉの両脇に孔３ｈ、３ｈを穿設し前記カバー２の下面に取り付けられる下面蓋３と、外周面に外突条４ａを形成し中央に内突条４ｂを形成し前記外溝３ｄに外突条４ａを嵌入して下面蓋３上に取付けられる弾性シート４と、内部が中空部５ｂとなり前記弾性シート４上に固定されスプリング７内に挿通され外周面に目盛りを備えた円柱状のゲージ５とからなることを特徴とする補修剤注入装置１の構成、また、外周面に外突条９ａを形成し中央に内突条９ｂを形成し更に上面右部にゲージ部９ｃを起立させて設けた前記外溝３ｄに外突条９ａを嵌入して下面蓋３上に取付けられる弾性シート９とからなることを特徴とする補修剤注入装置１ａの構成及び上部中央に上部孔１０ｂを穿設し下部に径の大きい嵌着部１０ａを形成し更に嵌着部１０ａの一部に内部が中空である円筒状の注入部１０ｃを起立して設けた略ドーム型のカバー１０と、中央に円と縦方向の楕円を組み合わせた形状の中央孔１１ｃを穿設し前記中央孔１１ｃの左部に横方向に楕円形状をした注入道１１ｆを穿設し前記カバー１０の下部に嵌着される外周の一部が外方に向かって張り出した略円形の下面蓋１１と、外周面に目盛りを設けたゲージ部１２ａを中央に起立して設け外周に突条１２ｃを形成し前記下面蓋１１上に取付けられる弾性シート１２と、中央正面に凸部１３ｂを形成した拡張部１３ａを上部に備え外周にスプリング１４を巻き付け前記注入部１０ｃ内に取り付けられる逆流防止部材１３と、前記下面蓋１１の注入道１１ｆに嵌着される略長方形状の注入道保護部材１５とからなることを特徴とする補修剤注入装置１ｂの構成とした。
【発明の効果】
【０００７】
本発明の補修材注入装置はゲージがついているため、補修材の導入量を容易に計測することができ、また、補修材の注入の進行具合、補修材の注入が完了したか否か、補修材の注入残量などを簡単に確認することができる。
【０００８】
更に、外形高さを抑えたため接着中の引っかけなどによる施工上の不具合がなく、安定した補修材の注入をすることができる。
【発明を実施するための最良の形態】
【０００９】
補修材の導入量を容易に計測でき、補修材の注入の進行具合等を容易に確認でき、更に施工上の不具合のない補修材注入装置という目的を、ゲージをつけることによって実現した。
【実施例１】
【００１０】
図１は本発明である補修剤注入装置の正面図、図２は補修剤注入装置のＡ−Ａ線の断面図、図３は補修剤注入装置の平面図、図４は補修剤注入装置の底面図、図５は補修剤注入装置の斜視分解図、図６は補修剤注入装置の斜視断面図である。
【００１１】
図１から図６に示すように、本発明である補修剤注入装置１は、中央に円筒状の凹部２ｅを形成し更に前記凹部２ｅの中心に注入部２ｄを起立させて設け内部がドーム状に空洞２ｉとなり外周下面に嵌着部２ａを形成した略ドーナツ型のカバー２と、外周面に外第１及び外第２突条３ｂ、３ｃを設けて外溝３ｄを形成し内周面に内第１及び内第２突条３ｅ、３ｆを設けた内溝３ｇを形成し更に中央に中央孔３ｉと前記中央孔３ｉの両脇に孔３ｈ、３ｈを穿設し前記カバー２の下面に取り付けられる下面蓋３と、外周面に外突条４ａを形成し中央に内突条４ｂを形成し前記外溝３ｄに外突条４ａを嵌入して下面蓋３上に取付けられる弾性シート４と、内部が中空部５ｂとなり前記弾性シート４上に固定されスプリング７内に挿通され外周面に目盛りを備えた円柱状のゲージ５とからなる。
【００１２】
図１から図３に示すように、前記ドーナツ型のカバー２は正面より見た場合に左側上部に円形の孔２ｆを穿設しておりカバー２内を見ることができる。また、前記孔２ｆの反対側、即ち、カバー２を正面より見た場合に右側上部に内部が中空２ｊの突出部２ｂを形成されている。前記カバー２に形成されている孔２ｆの存在により、補修剤により膨張した弾性シート４が孔２ｆから変形膨張することによって過充填を防止することができる。
【００１３】
前記突出部２ｂの中空２ｊ内には前記ゲージ５の上部が挿通されており、補修剤注入装置１に補修剤を注入していない状態では突出部２ｂの上端２ｃとゲージ５の上端はほぼ同じ位置にある。
【００１４】
前記注入部２ｄは内部が中空となっており、注入部２ｄ内の上部にあたる注入孔２ｇは下方へ向かうに従って径がせまくなっており、また、注入部２ｄの中央付近から下部にあたる中空２ｈは径が一定している。
【００１５】
前記注入部２ｄの中空２ｈ内には上部に径の小さい凸部６ａを形成し内部が中空６ｂとなった円柱状の逆流防止部材６とスプリング７ａが挿入されている。スプリング７ａは逆流防止部材６の下側に位置しており、逆流防止部材６を中空２ｈの上部まで押し上げている。また、スプリング７ａの下部は前記下面蓋３の内第２条溝３ｆ内に嵌入されている。
【００１６】
図２及び図４に示すように、前記下面蓋３の底面中央には略長方形状で内部が凹んだ突出面３ａが形成されており、前記突出面３ａの上下対称の位置に弧状の突出部３ｊ、３ｊが形成されている。突出面３ａ及び突出部３ｊの高さは同じである。
【００１７】
前記突出面３ａの中央、即ち下面蓋３の中央には中央孔３ｉが穿設され、中央孔３ｉの左右対称の位置に角形の孔３ｈ、３ｈが形成されている。この孔３ｈ、３ｈは後に下面蓋３と弾性シート４の間に注入された補修剤が押し出される際の孔である。
【００１８】
また、突出面３ａ及び突出部３ｊは、補修剤注入装置１をコンクリート構築物の亀裂部分に接着取付けの際に接着剤が前記孔３ｈ、３ｈを塞ぐことを防ぐためのものである。
【００１９】
図２及び図５に示すように、前記ゲージ５は前記弾性シート４の上面に固着される。このとき、ゲージ５はカバー２の中空２ｊに挿通できる位置となっている。尚、ゲージ５の下端は弾性シート４に安定して固着できるように若干径の大きい接合部５ａとなっており、更にゲージ５の外周面に巻き付いた状態となっているスプリング７の下端が接合部５ａより下にならないようにスプリング７の径と接合部５ａの径は同程度になっている。
【００２０】
次に本発明である補修剤注入装置１の内部状態を説明することとする。図７は本発明である補修剤注入装置の断面図、図８は本発明である補修剤注入装置を取り付けた状態を示した断面図である。
【００２１】
図７に示すように、注入孔２ｇより補修剤注入装置１内に注入された補修剤４ｃは、中空２ｈ内を通り弾性シート４と下面蓋３の間に注入される。弾性シート４は補修剤４ｃにより膨張し、弾性シート４に固着されたゲージ５が上部に押し上げられる。押し上げられるゲージ５は突出部２ｂの上端２ｃから突出し、同時にゲージ５に巻き付いたスプリング７が縮められてゆく。
【００２２】
図８に示したように、補修剤４ｃにより弾性シート４はカバー２の空洞２ｉの分だけ膨張することができる。補修剤注入装置１内に注入された補修剤４ｃは、弾性シート４の復元力により徐々に元の形状に戻ろうとし、このように弾性シート４が元に戻る力で補修剤４ｃが孔３ｈ、３ｈから外部に押し出されることとなる。
【００２３】
尚、補修剤４ｃを注入した注入部２ｄ内部には逆流防止部材６が取り付けられているため、補修剤４ｃが逆流し注入部２ｄから押し出されることはない。また、ゲージ５に目盛りを付すことにより補修剤注入装置１内に注入した補修剤４ｃの量を簡単にしることができると同時に補修剤注入装置１内から亀裂８ａ内に注入された補修剤４ｃの量を簡単に知ることができる。
【００２４】
本発明である補修剤注入装置１の形状を円盤状とし、注入部２ｄをカバー２中央部に設けることによって、弾性シート４の膨張高さを低く抑え、補修剤注入装置１の外形高さを低く抑えた。
【００２５】
図８に示すように、本発明である補修剤注入装置１をコンクリート構造物８の亀裂８ａ上に設置し弾性シート４の復元力により補修剤注入装置１内の補修剤４ｃが孔３ｈより押し出され前記亀裂８ａ内に注入される。補修剤４ｃが亀裂８ａ内に注入された後、コンクリート構造物８から補修剤注入装置１をヘラ等で取り除き補修作業が完了する。
【実施例２】
【００２６】
図９は本発明である補修剤注入装置の第２実施例の正面図、図１０は補修剤注入装置のＢ−Ｂ線の断面図である。図９及び図１０に示すように、本発明である補修剤注入装置１ａは、前記実施例１で示した補修剤注入装置１とほぼ同じである。
【００２７】
即ち、補修剤注入装置１ａは、中央に円筒状の凹部２ｅを形成し更に前記凹部２ｅの中心に注入部２ｄを起立させて設け内部がドーム状に空洞２ｉとなり外周下面に嵌着部２ａを形成した略ドーナツ型のカバー２と、外周面に外第１及び外第２突条３ｂ、３ｃを設けて外溝３ｄを形成し内周面に内第１及び内第２突条３ｅ、３ｆを設けた内溝３ｇを形成し更に中央に中央孔３ｉと前記中央孔３ｉの両脇に孔３ｈ、３ｈを穿設し前記カバー２の下面に取り付けられる下面蓋３と、外周面に外突条９ａを形成し中央に内突条９ｂを形成し更に上面右部にゲージ部９ｃを起立させて設けた前記外溝３ｄに外突条９ａを嵌入して下面蓋３上に取付けられる弾性シート９とからなる。
【００２８】
前記弾性シート９の上面右部に設けられたゲージ部９ｃは、突出部２ｂの中空２ｊの位置に合わせられており、弾性シート９と下面蓋３との間に補修剤９ｄが注入され弾性シート９が上部に向かって膨張した際に突出部２ｂの上端２ｃより突出する。
【００２９】
補修剤注入装置１ａにおいても弾性シート９のゲージ部９ｃに目盛りを付すことにより補修剤注入装置１ａ内に注入した補修剤９ｄの量を簡単にしることができると同時に補修剤注入装置１ａ内から亀裂８ａ内に注入された補修剤９ｄの量を簡単に知ることができる。
【実施例３】
【００３０】
図１１は本発明である補修剤注入装置の第３実施例の正面図、図１２は補修剤注入装置の第３実施例のＣ−Ｃ線の断面図、図１３は補修剤注入装置の第３実施例の平面図、図１４は補修剤注入装置の第３実施例の底面図、図１５は補修剤注入装置の第３実施例の斜視分解図、図１６は本発明である補修剤注入装置の第３実施例の斜視断面図である。
【００３１】
図１１から図１５に示すように、本発明である補修剤注入装置１ｂは、上部中央に上部孔１０ｂを穿設し下部に径の大きい嵌着部１０ａを形成し更に嵌着部１０ａの一部に内部が中空である円筒状の注入部１０ｃを起立して設けた略ドーム型のカバー１０と、中央に円と縦方向の楕円を組み合わせた形状の中央孔１１ｃを穿設し前記中央孔１１ｃの左部に横方向に楕円形状をした注入道１１ｆを穿設し前記カバー１０の下部に嵌着される外周の一部が外方に向かって張り出した略円形の下面蓋１１と、外周面に目盛りを設けたゲージ部１２ａを中央に起立して設け外周に突条１２ｃを形成し前記下面蓋１１上に取付けられる弾性シート１２と、中央正面に凸部１３ｂを形成した拡張部１３ａを上部に備え外周にスプリング１４を巻き付け前記注入部１０ｃ内に取り付けられる逆流防止部材１３と、前記下面蓋１１の注入道１１ｆに嵌着される略長方形状の注入道保護部材１５とからなる。
【００３２】
図１１から図１３に示すように、前記カバー１０の下面外周に形成された嵌着部１０ａには更に外周に拡張部１０ｆを形成している。前記拡張部１０ｆの上面には等間隔に複数の突起１０ｈ、１０ｈ、１０ｈ・・・が形成されている。
【００３３】
前記注入部１０ｃの下部には注入部中部１０ｄ、注入部下部１０ｅと連設しており、注入部１０ｃ、注入部中部１０ｄ、注入部下部１０ｅの順に径が大きくなってゆく。注入部１０ｃは筒状で内部に注入孔１０ｉが穿設してあり、この注入孔１０ｉは下方に向かうに従って径が小さくなっている。
【００３４】
前記注入孔１０ｉの下部は更に径の大きい空間１０ｋに繋がっており、空間１０ｋ内に前記逆流防止部材１３が嵌入されている。逆流防止部材１３は周囲にスプリング１４が巻きつけられており、スプリング１４の上端が逆流防止部材１３の拡張部１３ａを押し上げた状態となっている。
【００３５】
前記ドーム型のカバー１０の下部外周面の内側には空洞１０ｌが形成されており、この空洞１０ｌに前記下面蓋１１が嵌着される。また、ドーム型のカバー１０の内側は空間１０ｊとなっている。
【００３６】
図１３に示すように、嵌着部１０ａと嵌着部１０ａの外周面に連設された注入部下部１０ｅは補強部１０ｇにより連結を強化されている。
【００３７】
図１２及び図１４に示すように、前記下面蓋１１は下面に突出面１１ｂが形成されており、突出面１１ｂの内側は凹部１１ｄとなっている。また、下面蓋１１のうち前記空間１０ｋの下に当たる部分には外注入道１１ｅが穿設され、凹部１１ｄには中注入道１１ｇが穿設されている。更に前記外注入道１１ｅと中注入道１１ｇは注入道１１ｆで連通している。
【００３８】
下面蓋１１のうち前記補強部１０ｇの下に当たる箇所は補強部１１ａが形成されており、下面蓋１１外周の外方へ突出している部分を補強ししている。
【００３９】
下面蓋１１の外周近くには下面蓋の外形に沿った外突条１１ｈが形成されており、この外突条１１ｈが前記カバー１０の嵌着部１０ａに嵌着される。
【００４０】
図１６に示すように、弾性シート１２は下面蓋１１の外突条１１ｈの内側に弾性シート１２の突条１２ｃを嵌め込んだ状態で設置される。このとき、下面蓋１１に被せて嵌着するカバー１０の空洞１０ｌ内に突条１２ｃが位置している状態でもある。
【００４１】
弾性シート１２の厚みは、ゲージ部１２ａの周囲が若干厚くなっており、中央に起立したゲージ部１２ａは常に下面蓋１１に対して垂直に起立することができる。尚、斜面１２ｂは、弾性シート１２の厚みに違いにより生じた傾斜を示している。
【００４２】
図１７は本発明である補修剤注入装置の第３実施例の断面図、図１８は補修剤注入装置の第３実施例を取り付けた状態を示した断面図である。
【００４３】
図１７及び図１８に示すように、コンクリート構造物８の亀裂８ａ上に補修剤注入装置１ｂを設置し、注入孔１０ｉより補修剤１２ｄを注入する。補修剤１２ｄは逆流防止部材１３を押し下げながら注入部下部１０ｅを通り注入道１１ｆを経て中注入道１１ｇから弾性シート１２と下面蓋１１の間に注入される。
【００４４】
補修剤１２ｄは弾性シート１２を脹らませながら注入され、同時にゲージ部１２ａが上部孔１０ｂより突出する。補修剤１２ｄは弾性シート１２がカバー１０の空間１０ｊ内いっぱいになるまで注入することができる。
【００４５】
補修剤１２ｄを注入する際に、補修剤１２ｄは逆流防止部材１３を押し下げながら注入され、注入された補修剤が逆流しようとすると逆流防止部材１３を押上げられ注入孔１１ｉは塞がり補修剤１２ｄが逆流できない。
【００４６】
補修剤注入装置１ｂ内に注入された補修剤１２ｄは、弾性シート１２の復元力により中央孔１１ｃから亀裂８ａ内へ押し出される。ゲージ部に目盛りを付すことにより、補修剤注入装置１ｂ内に注入された補修剤１２ｄの量や補修剤注入装置１ｂから亀裂８ａ内に注入された補修剤１２ｄの量を簡単にしることができる。補修剤１２ｄが亀裂８ａ内に注入された後、コンクリート構造物８から補修剤注入装置１ｂをヘラ等で取り除き補修作業が完了する。
【図面の簡単な説明】
【００４７】
【図１】本発明である補修剤注入装置の正面図である。
【図２】本発明である補修剤注入装置のＡ−Ａ線の断面図である。
【図３】本発明である補修剤注入装置の平面図である。
【図４】本発明である補修剤注入装置の底面図である。
【図５】本発明である補修剤注入装置の斜視分解図である。
【図６】本発明である補修剤注入装置の斜視断面図である。
【図７】本発明である補修剤注入装置の断面図である。
【図８】本発明である補修剤注入装置を取り付けた状態を示した断面図である。
【図９】本発明である補修剤注入装置の第２実施例の正面図である。
【図１０】本発明である補修剤注入装置のＢ−Ｂ線の断面図である。
【図１１】本発明である補修剤注入装置の第３実施例の正面図である。
【図１２】本発明である補修剤注入装置の第３実施例のＣ−Ｃ線の断面図である。
【図１３】本発明である補修剤注入装置の第３実施例の平面図である。
【図１４】本発明である補修剤注入装置の第３実施例の底面図である。
【図１５】本発明である補修剤注入装置の第３実施例の斜視分解図である。
【図１６】本発明である補修剤注入装置の第３実施例の斜視断面図である。
【図１７】本発明である補修剤注入装置の第３実施例の断面図である。
【図１８】本発明である補修剤注入装置の第３実施例を取り付けた状態を示した断面図である。
【符号の説明】
【００４８】
１      補修剤注入装置
１ａ    補修剤注入装置
１ｂ    補修剤注入装置
２      カバー
２ａ    嵌着部
２ｂ    突出部
２ｃ    上端
２ｄ    注入部
２ｅ    凹部
２ｆ    孔
２ｇ    注入孔
２ｈ    中空
２ｉ    空洞
２ｊ    中空
３      下面蓋
３ａ    突出面
３ｂ    外第１突条
３ｃ    外第２突条
３ｄ    外溝
３ｅ    内第１突条
３ｆ    内第２突条
３ｇ    内溝
３ｈ    孔
３ｉ    中央孔
３ｊ    突出部
４      弾性シート
４ａ    外突条
４ｂ    内突条
４ｃ    補修剤
５      ゲージ
５ａ    接合部
５ｂ    中空部
６      逆流防止部材
６ａ    凸部
６ｂ    中空
７      スプリング
７ａ    スプリング
８      コンクリート構造物
８ａ    亀裂
９      弾性シート
９ａ    外突条
９ｂ    内突条
９ｃ    ゲージ部
９ｄ    補修剤
１０      カバー
１０ａ    嵌着部
１０ｂ    上部孔
１０ｃ    注入部
１０ｄ    注入部中部
１０ｅ    注入部下部
１０ｆ    拡張部
１０ｇ    補強部
１０ｈ    突起
１０ｉ    注入孔
１０ｊ    空間
１０ｋ    空間
１０ｌ    空洞
１１      下面蓋
１１ａ    補強部
１１ｂ    突出面
１１ｃ    中央孔
１１ｄ    凹部
１１ｅ    外注入道
１１ｆ    注入道
１１ｇ    中注入道
１１ｈ    外突条
１２      弾性シート
１２ａ    ゲージ部
１２ｂ    斜面
１２ｃ    突条
１２ｄ    補修剤
１３      逆流防止部材
１３ａ    拡張部
１３ｂ    凸部
１４      スプリング
１５      注入道保護部材
【図１】
0004834469.tif 000002
【図２】
0004834469.tif 000003
【図３】
0004834469.tif 000004
【図４】
0004834469.tif 000005
【図５】
0004834469.tif 000006
【図６】
0004834469.tif 000007
【図７】
0004834469.tif 000008
【図８】
0004834469.tif 000009
【図９】
0004834469.tif 000010
【図１０】
0004834469.tif 000011
【図１１】
0004834469.tif 000012
【図１２】
0004834469.tif 000013
【図１３】
0004834469.tif 000014
【図１４】
0004834469.tif 000015
【図１５】
0004834469.tif 000016
【図１６】
0004834469.tif 000017
【図１７】
0004834469.tif 000018
【図１８】
0004834469.tif 000019